(57)【要約】【課題】複数の乾電池を使用する電源システムであって、回路を工夫することで、一部の電池の電極がその接点から離れることになっても、電源の遮断を防止する。【解決手段】機器本体が床へ落下するのに伴い、左右何れかの方向から衝撃力（Ｇ）が加わると、各乾電池Ｂ１，Ｂ２の前記衝撃力（Ｇ）の下流側にあるばね接点、つまり一方の乾電池Ｂ１（又はＢ２）のばね接点Ｎ１（又はＮ２）が当該乾電池Ｂ１（又はＢ２）の重さを受けて縮み、同乾電池Ｂ１（又はＢ２）の＋極がその固定接点Ｐ１（又はＰ２）から離れてしまう。この場合、他方の乾電池Ｂ２（又はＢ１）のみが各対応する固定接点Ｐ２（又はＰ１）及びばね接点Ｎ２（又はＮ１）に正常に接触したまま維持され、ダイオードＤ２（又はＤ１）を経由し、同乾電池Ｂ２（又はＢ１）の電圧のみが電源・昇圧回路１２の入力電圧ＶＥとして与えられ、中央処理装置（ＣＰＵ）１３が駆動される。【選択図】図３
2013183576.tif 000002
【特許請求の範囲】
【請求項１】
複数の電池を交互にその極性が逆向きになるように並べ、各電池の＋極又は−極をばね式接点に接触させて収納する電池収納部と、
この電池収納部に収納された各電池の＋極と−極とが各対応する接点に接触している状態では、当該各電池の接点から得られる電圧を導出し、前記電池収納部に収納された奇数番目の電池の接点との接触が断たれた状態では、偶数番目の電池の接点から得られる電圧を導出し、前記電池収納部に収納された偶数番目の電池の接点の接触が断たれた状態では、奇数番目の電池の接点から得られる電圧を導出する回路手段と、
この回路手段により導出された電圧を定電圧に昇圧する昇圧回路と、
を備えたことを特徴とする電源システム。
【請求項２】
前記回路手段により導出された電圧を検出する電圧検出手段と、
この電圧検出手段により検出された電圧が基準電圧以下になった場合に、特定の処理を実行する特定処理実行手段と、
機器本体の落下を検出する落下検出手段と、
この落下検出手段により落下が検出された場合には、前記基準電圧を前記電池収納部に収納可能な半分の数の電池に応じた第２の基準電圧に設定する基準電圧設定手段と、
を備えたことを特徴とする請求項１に記載の電源システム。
【請求項３】
前記電池収納部に収納された電池の数を判断する電池数判断手段を備え、
前記基準電圧設定手段は、
前記電池数判断手段により前記電池収納部に収納された電池の数が収納可能な半分の数と判断された場合、前記基準電圧を前記電池収納部に収納可能な半分の数の電池に応じた第２の基準電圧に設定する、
ことを特徴とする請求項１に記載の電源システム。
【請求項４】
前記電池収納部は、２本の電池をそれぞれその極性が逆向きになるように並べ、各電池の＋極又は−極をばね式接点に接触させて収納し、
前記回路手段は、前記電池収納部に収納された各電池の＋極と−極とが各対応する接点に接触している状態では、当該各電池の接点から得られる電圧を導出し、前記電池収納部に収納された一方の電池の接点との接触が断たれた状態では、他方の電池の接点から得られる電圧を導出し、他方の電池の接点の接触が断たれた状態では、一方の電池の接点から得られる電圧を導出する、
ことを特徴とする請求項１ないし請求項３の何れか１項に記載の電源システム。
【発明の詳細な説明】
【技術分野】
【０００１】
本発明は、複数の乾電池を使用する電子機器の電源システムに関する。
【背景技術】
【０００２】
電子辞書、ラジオ、音楽プレーヤーなどの電子機器は、複数の乾電池を使用した電源システムにより駆動されるものが多い。このような電源システムにおいて、一般に乾電池は、−極をばね接点に＋極を固定接点に接触させて収納することで、着脱容易な構成となっている。
【０００３】
しかし、例えば２本の乾電池を使用した電源システムにより駆動される電子機器において、電池の交換に際し、たまたま１本の乾電池しか用意できない場合は、この電子機器を使用することができない。
【０００４】
また、電子機器を例えば落下させて本体に衝撃や振動が加わった場合に、電池の−極が接しているばね接点が縮むと、当該電池の＋極がその固定接点から離れてしまい、電源の瞬時遮断が発生し、機器誤動作の原因となることがある。
【０００５】
従来の電源システムであって、電池の放電により電源電圧が低下しても電子機器の正常な動作を確保できるものとして、昇圧回路を有する電子機器が考えられている（例えば、特許文献１参照。）。
【先行技術文献】
【特許文献】
【０００６】
【特許文献１】特開２００６−０２０４１９号公報
【発明の概要】
【発明が解決しようとする課題】
【０００７】
従来の電子機器の電源システムにおいて、本体に加わる衝撃や振動によりばね接点が縮むことによる電源の瞬時遮断を防止する対策としては、衝撃吸収用ゴムダンパーやばね定数の大きいばね接点の使用、多数の充電用コンデンサを付加するなどの対策が取られる。
【０００８】
しかしながら、これらの対策は、電池挿脱時の使い勝手の低下、部品種・部品数の増加、コストの増加などの新たな問題を招いてしまう。
【０００９】
本発明は、このような課題に鑑みなされたもので、回路を工夫することで、一部の電池の電極がその接点から離れることになっても、電源の遮断を防止することが可能になる電源システムを提供することを目的とする。
【課題を解決するための手段】
【００１０】
本発明に係る電源システムは、複数の電池を交互にその極性が逆向きになるように並べ、各電池の＋極又は−極をばね式接点に接触させて収納する電池収納部と、この電池収納部に収納された各電池の＋極と−極とが各対応する接点に接触している状態では、当該各電池の接点から得られる電圧を導出し、前記電池収納部に収納された奇数番目の電池の接点との接触が断たれた状態では、偶数番目の電池の接点から得られる電圧を導出し、前記電池収納部に収納された偶数番目の電池の接点の接触が断たれた状態では、奇数番目の電池の接点から得られる電圧を導出する回路手段と、この回路手段により導出された電圧を定電圧に昇圧する昇圧回路と、を備えたことを特徴としている。
【発明の効果】
【００１１】
本発明によれば、複数の乾電池を使用する電源システムであって、一部の電池の電極がその接点から離れることになっても、電源の遮断を防止することが可能になる電源システムを提供できる。
【図面の簡単な説明】
【００１２】
【図１】本発明の実施形態に係る電子機器の電源システムの構成を示す回路図。
【図２】前記電子機器の電源システムにおける基準電圧設定処理を示すフローチャート。
【図３】前記電源システムの動作を示す図であり、同図（Ａ）は機器本体が図中右方向へ落下した場合の動作を示す図、同図（Ｂ）は機器本体が図中左方向へ落下した場合の動作を示す図。
【図４】本発明の他の実施形態に係る電子機器の電源システムの構成を示す回路図。
【図５】前記他の実施形態の電源システムにおける基準電圧設定処理を示すフローチャート。
【図６】前記他の実施形態の電源システムの動作を示す図であり、同図（Ａ）は一方の乾電池Ｂ１を外し他方の乾電池Ｂ２のみ装着した場合の動作を示す図、同図（Ｂ）は他方の乾電池Ｂ２を外し一方の乾電池Ｂ１のみ装着した場合の動作を示す図。
【発明を実施するための形態】
【００１３】
以下図面により本発明の実施の形態について説明する。
【００１４】
図１は、本発明の実施形態に係る電子機器の電源システムの構成を示す回路図である。
【００１５】
この電源システムは、２本の乾電池（１本の定格１．５ｖ）Ｂ１，Ｂ２をそれぞれその＋極が向き合う方向にして収納する電池収納部１１、この電池収納部１１から出力される電圧ＶＥ（≒３．０ｖ〜０．８ｖ）を３ｖの定電圧Ｖｐに昇圧する電源・昇圧回路１２を備えている。
【００１６】
この電源・昇圧回路１２から出力される３ｖの定電圧が機器本体の中央処理装置（ＣＰＵ）１３に印加され電子機器が駆動される。
【００１７】
前記電池収納部１１は、両端に前記各乾電池Ｂ１，Ｂ２の−極を押し当てて接触させるばね接点Ｎ１，Ｎ２を設け、また、中央仕切り板１１Ｂの両側に、同各乾電池Ｂ１，Ｂ２の＋極を接触させる固定接点Ｐ１，Ｐ２を設けて構成される。
【００１８】
そして、一方の乾電池Ｂ１の固定接点Ｐ１は電源・昇圧回路１２へ直接接続され、他方の乾電池Ｂ２の固定接点Ｐ２は、前記一方の乾電池Ｂ１のばね接点Ｎ１に接続されると共に、電源・昇圧回路１２へ順方向のダイオードＤ２を介して接続される。
【００１９】
また、一方の乾電池Ｂ１のばね接点Ｎ１は、当該ばね接点Ｎ１の方向に順方向のダイオードＤ１を介して接地ＧＮＤに接続され、他方の乾電池Ｂ２のばね接点Ｎ２は、直接接地ＧＮＤに接続される。
【００２０】
そして、前記電源・昇圧回路１２の入力側には、前記固定接点Ｐ１又はＰ２からの電圧を常時監視する電圧検出部（Ａ／Ｄ）１４が接続され、この電圧検出部１４により検出された電圧値は前記中央処理装置（ＣＰＵ）１３へ出力される。この電子機器では、電池２本で駆動している通常の場合には、電圧が２ｖに低下すると、電池交換を促すメッセージを表示し、１．５ｖまで低下すると強制的に動作を停止して誤作動を防止するようにしている。
【００２１】
一方、この電子機器の本体には、加速度センサ１５が設けられ、この加速度センサ１５により検出される加速度（Ｇ）は前記中央処理装置（ＣＰＵ）１３へ出力される。
【００２２】
なお、前記電圧検出部１４は電源電圧を監視して電池交換メッセージの表示や動作停止を制御するために、また、前記加速度センサ１５は機器本体にかかる重力加速度を検出して、機器本体の向きを判別したり、機器本体が落下したことを判別したりするために、それぞれ設けられている。
【００２３】
すなわち、この電子機器の電源システムは、２本の乾電池Ｂ１，Ｂ２がそれぞれ各対応する固定接点Ｐ１，Ｐ２およびばね接点Ｎ１，Ｎ２に正常に接触している場合は、その直列電圧が電源・昇圧回路１２の入力電圧ＶＥとして与えられ、また、一方の乾電池Ｂ１のみが各対応する固定接点Ｐ１およびばね接点Ｎ１に正常に接触している場合は、ダイオードＤ１を経由し、同乾電池Ｂ１の電圧のみが電源・昇圧回路１２の入力電圧ＶＥとして与えられ、他方の乾電池Ｂ２のみが各対応する固定接点Ｐ２およびばね接点Ｎ２に正常に接触している場合は、ダイオードＤ２を経由し、同乾電池Ｂ２の電圧のみが電源・昇圧回路１２の入力電圧ＶＥとして与えられる機能を有する。
【００２４】
さらに、この電子機器の電源システムは、加速度センサ１５により機器本体の落下が検出されることに応じて、動作の停止を実行するための基準電圧を変更する基準電圧設定機能（図２を参照して後述する）を有する。
【００２５】
次に、前記構成の電子機器の電源システムの動作について説明する。
【００２６】
図２は、前記電子機器の電源システムにおける基準電圧設定処理を示すフローチャートである。
【００２７】
図３は、前記電源システムの動作を示す図であり、同図（Ａ）は機器本体が図中右方向に落下して衝撃が加わった場合の動作を示す図、同図（Ｂ）は機器本体が図中左方向へ落下し衝撃が加わった場合の動作を示す図である。
【００２８】
図３（Ａ）に示すように、図中右方向へ落下して床に衝突すると、一方の乾電池Ｂ１のばね接点Ｎ１が当該乾電池Ｂ１の慣性による力を受けて縮み、同乾電池Ｂ１の＋極がその固定接点Ｐ１から離れてしまう。
【００２９】
この場合、他方の乾電池Ｂ２のみが各対応する固定接点Ｐ２およびばね接点Ｎ２に正常に接触したまま維持され、ダイオードＤ２を経由し、同乾電池Ｂ２の電圧のみが電源・昇圧回路１２の入力電圧ＶＥとして与えられ、電子機器が駆動される。
【００３０】
また図３（Ｂ）に示すように、図中左方向へ落下して床に衝突すると、他方の乾電池Ｂ２のばね接点Ｎ２が当該乾電池Ｂ２の慣性による力を受けて縮み、同乾電池Ｂ２の＋極がその固定接点Ｐ２から離れてしまう。
【００３１】
この場合、一方の乾電池Ｂ１のみが各対応する固定接点Ｐ１およびばね接点Ｎ１に正常に接触したまま維持され、ダイオードＤ１を経由し、同乾電池Ｂ１の電圧のみが電源・昇圧回路１２の入力電圧ＶＥとして与えられ、電子機器が駆動される。
【００３２】
このため、機器本体が何れかの方向に落下して衝撃を受け、２本のうち何れか一方の乾電池Ｂ１（又はＢ２）の＋極がその接点Ｐ１（又はＰ２）から離れることがあっても、他方の乾電池Ｂ２（又はＢ１）の各対応する接点Ｐ２，Ｎ２（又はＰ１，Ｎ１）への接触は確実に維持され、この他方の乾電池Ｂ２（又はＢ１）のみによって遮断なく継続して電子機器を駆動できる。
【００３３】
また、機器本体が落下する際には、加速度センサ１４により落下が検出され、図２の基準電圧設定処理がＣＰＵ１３により実行される。落下が検出されると（ステップＳ１（Ｙｅｓ））、動作停止のための基準電圧は０．８ｖに設定される（ステップＳ２）。これにより、前述のように機器本体が衝撃を受けた時点において、電源・昇圧回路１２に与えられる電源電圧が一時的に１本の乾電池Ｂ１（又はＢ２）のみからの電圧に低下しても、機器動作が強制停止されたりすることはなく、通常通り継続して動作させることができる。
【００３４】
したがって、前記構成の電子機器の電源システムによれば、何れの方向からの衝撃が加わっても、少なくとも１本の乾電池Ｂ１（又はＢ２）の接続を確実に維持でき、ＣＰＵ１３に所定の電源電圧を供給できるようにしたので、衝撃吸収用ゴムダンパーやばね定数の大きいばね接点の使用、多数の充電用コンデンサを付加するなど、従来必要とした衝撃に伴う瞬時遮断防止のための対策を取る必要がなくなる。
【００３５】
よって、電池挿脱時の使い勝手の低下、部品種・部品数の増加、コストの増加などの新たな問題を招くことなく、一部の電池の電極が衝撃や振動によりその接点から離れることによる電源の遮断を防止することが可能になる。
【００３６】
なお、前記実施形態で説明した機器本体に加わる衝撃や振動に伴う動作状況に限らず、例えば電池交換に際し、たまたま１本の乾電池Ｂ１（又はＢ２）しか用意できない場合、あるいは当該１本の乾電池Ｂ１（又はＢ２）を故意に外して機器本体を軽量にして使用したい場合でも、前述した通りの回路機能により、残り１本の乾電池Ｂ２（又はＢ１）のみにより継続して電子機器を駆動できるのは勿論である。
【００３７】
また、前記実施形態では、電池収納部１１に２本の乾電池Ｂ１，Ｂ２を収納する電源システムの構成について説明したが、３本あるいはそれ以上の乾電池Ｂ１，Ｂ２，Ｂ３，…を使用する電源システムであっても、前記同様に、各乾電池Ｂ１，Ｂ２，Ｂ３，…を固定接点Ｐｎとばね接点Ｎｎとによって互いにその同極が向い合せになるように（つまり、交互に極性が逆向きになるように）収納し、何れの方向からの衝撃や振動に伴い何れかのばね接点Ｎｎに縮みが生じても、他の縮まないばね接点Ｎｎのところで乾電池Ｂｎとの接触を維持できる電池収納部を構成する。そして通常時は、この電池収納部に収納された全ての乾電池に基づいた出力電圧を電源・昇圧回路１２に与え、奇数番目の乾電池との接触が断たれた場合には偶数番目の乾電池に基づいた出力電圧を、偶数番目の乾電池との接触が断たれた場合には奇数番目の乾電池に基づいた出力電圧を同電源・昇圧回路１２に与える回路を構成すればよい。
【００３８】
さらに、前記実施形態の電池収納部１１は、複数の乾電池Ｂ１，Ｂ２，…を交互にその極性が逆向きになるように縦に並べて収納する構成としたが、横に並べて収納する構成としても、前記同様の回路構成とすることで、常に奇数番目又は偶数番目の乾電池との接触を維持でき、電源を継続的に供給可能であるのは勿論である。
【００３９】
以下に説明する他の実施形態は、通常時は２本の乾電池Ｂ１，Ｂ２を使用して長時間の使用を可能とし、機器本体を軽量にしたいとき、あるいは２本の乾電池Ｂ１，Ｂ２を用意できないときには、１本の乾電池Ｂ１（又はＢ２）のみでも使用を可能とする電源システムである。
【００４０】
（他の実施形態）
図４は、本発明の他の実施形態に係る電子機器の電源システムの構成を示す回路図である。
【００４１】
この他の実施形態の電源システムは、２本の乾電池（１本の定格１．５ｖ）Ｂ１，Ｂ２を、それぞれその＋極に接触する固定接点Ｐ１，Ｐ２と、−極に接触するばね接点Ｎ１，Ｎ２とを介し直列に接続して収納する電池収納部２１、この電池収納部２１から出力される電圧ＶＥ（≒３．０ｖ〜０．８ｖ）を３ｖの定電圧Ｖｐに昇圧する電源・昇圧回路１２を備えている。
【００４２】
この電源・昇圧回路１２から出力される３ｖの定電圧が機器本体の中央処理装置（ＣＰＵ）１３に印加され電子機器が駆動される。
【００４３】
また、前記電池収納部２１には、各乾電池Ｂ１，Ｂ２の収納位置に対応させて同各乾電池Ｂ１，Ｂ２が収納されているかを検出するスイッチＳＷ１，ＳＷ２が設けられる。こられのスイッチは１回路２接点のスイッチであり、乾電池Ｂ１が外された場合には、当該外れた乾電池Ｂ１の固定接点Ｐ１とばね接点Ｎ１との間をバイパスして短絡し、乾電池Ｂ２が外された場合には、当該外れた乾電池Ｂ２の固定接点Ｐ２とばね接点Ｎ２との間をバイパスして短絡し、両方の電池が収納されている場合にはバイパス回路が切断されるようにスイッチＳＷ１，ＳＷ２の回路が構成されている。
【００４４】
そして、一方の乾電池Ｂ１の固定接点Ｐ１は電源・昇圧回路１２へ接続され、他方の乾電池Ｂ２のばね接点Ｎ２は接地ＧＮＤに接続される。
【００４５】
そして、前記電源・昇圧回路１２の入力側には、前記一方の乾電池Ｂ１が装着された状態では固定接点Ｐ１からの電圧、又は同乾電池Ｂ１が外された状態では他方の乾電池Ｂ２の固定接点Ｐ２からの電圧を常時監視する電圧検出部（Ａ／Ｄ）１４が接続され、この電圧検出部１４により検出された電圧値は前記中央処理装置（ＣＰＵ）１３へ出力される。
【００４６】
すなわち、この他の実施形態の電源システムは、２本の乾電池Ｂ１，Ｂ２が電池収納部２１に装着され、各対応する固定接点Ｐ１，Ｐ２およびばね接点Ｎ１，Ｎ２に正常に接触している場合は、その直列電圧が電源・昇圧回路１２の入力電圧ＶＥとして与えられ、また、一方の乾電池Ｂ１のみが電池収納部２１に装着され、各対応する固定接点Ｐ１およびばね接点Ｎ１に正常に接触している場合は、同乾電池Ｂ１の電圧のみが電源・昇圧回路１２の入力電圧ＶＥとして与えられ、他方の乾電池Ｂ２のみが電池収納部２１に装着され、各対応する固定接点Ｐ２およびばね接点Ｎ２に正常に接触している場合は、同乾電池Ｂ２の電圧のみが電源・昇圧回路１２の入力電圧ＶＥとして与えられる機能を有する。
【００４７】
さらに、この電子機器の電源システムは、使用中の乾電池が１本であるか又は２本であるかに応じて、電池交換メッセージの表示を実行するための基準電圧および動作の停止を実行するための基準電圧を変更する基準電圧設定機能を有する。
【００４８】
図５は、前記他の実施形態の電源システムにおける基準電圧設定処理を示すフローチャートである。
【００４９】
電子機器の電源がＯＮにされると、電池収納部１１に設けられた着脱検知スイッチＳＷ１，ＳＷ２により、使用中の電池本数が１本か２本かが判断される（ステップＳ１）。
【００５０】
ここで、２本の乾電池Ｂ１，Ｂ２の使用中であると判断されると（ステップＳ１（２本））、電池交換メッセージのための基準電圧は２．０ｖに、動作停止のための基準電圧は１．５ｖに設定される（ステップＳ３）。
【００５１】
一方、１本の乾電池Ｂ１又はＢ２のみの使用中であると判断された場合には（ステップＳ１（１本））、電池交換メッセージのための基準電圧は１．０ｖに、動作停止のための基準電圧は０．８ｖに設定される（ステップＳ４）。
【００５２】
次に、前記構成の他の実施形態の電源システムの動作について説明する。
【００５３】
図６は、前記他の実施形態の電源システムの動作を示す図であり、同図（Ａ）は一方の乾電池Ｂ１を外し他方の乾電池Ｂ２のみ装着した場合の動作を示す図、同図（Ｂ）は他方の乾電池Ｂ２を外し一方の乾電池Ｂ１のみ装着した場合の動作を示す図である。
【００５４】
例えば機器本体を軽量にして使用したい場合、あるいは用意できる電池が１本しかない場合に、図６（Ａ）に示すように、電池収納部２１に１本の乾電池Ｂ２のみを装着すると、着脱検知スイッチＳＷ１の接点がＯＮ（導通）になり、乾電池Ｂ１用の固定接点Ｐ１とばね接点Ｎ１とが短絡して接続され、前記装着された１本の乾電池Ｂ２の電圧のみが電源・昇圧回路１２の入力電圧ＶＥとして与えられ、電子機器が駆動される。
【００５５】
また同様に、機器本体を軽量にして使用したい場合、あるいは用意できる電池が１本しかない場合に、図６（Ｂ）に示すように、電池収納部２１に１本の乾電池Ｂ１のみを装着すると、着脱検知スイッチＳＷ２の接点がＯＮ（導通）になり、乾電池Ｂ２用の固定接点Ｐ２とばね接点Ｎ２とが短絡して接続され、前記装着された１本の乾電池Ｂ１の電圧のみが電源・昇圧回路１２の入力電圧ＶＥとして与えられ、電子機器が駆動される。
【００５６】
このため、何れか一方の乾電池Ｂ１（又はＢ２）を外したまま使用する場合でも、他方の乾電池Ｂ２（又はＢ１）のみによって電子機器を駆動できる。
【００５７】
そして、１本の乾電池Ｂ１（又はＢ２）で使用する場合には（ステップＳ１（Ｙｅｓ））、電池交換メッセージのための基準電圧は１．０ｖに、動作停止のための基準電圧は０．８ｖに設定されるので（ステップＳ４）、電源・昇圧回路１２に与えられる電源電圧が当該１本の乾電池Ｂ１（又はＢ２）のみからの電圧に低下しても、電池交換メッセージが表示されたり機器動作が強制停止されたりすることはなく、通常通り継続して動作させることができる。
【００５８】
したがって、前記構成の他の実施形態の電源システムによれば、少なくとも１本の正常な乾電池Ｂ１（又はＢ２）さえあれば、ＣＰＵ１３に所定の電源電圧を供給できるようにしたので、機器本体を軽量にして使用したい場合や１本の乾電池Ｂ１（又はＢ２）しか用意できない場合でも、正しく電子機器を駆動できるようになる。
【００５９】
なお、前記他の実施形態の電源システムでは、電池収納部２１に２本の乾電池Ｂ１，Ｂ２を収納する構成としたが、３本以上の乾電池Ｂ１，Ｂ２，Ｂ３，…を使用する場合でも、前記同様の回路構成とすることで、任意の本数の乾電池によって正しく電子機器を駆動可能であるのは勿論である。
【００６０】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００６１】
以下に、本願出願の当初の特許請求の範囲に記載された発明を付記する。
【００６２】
［１］
複数の電池を交互にその極性が逆向きになるように並べ、各電池の＋極又は−極をばね式接点に接触させて収納する電池収納部と、
この電池収納部に収納された各電池の＋極と−極とが各対応する接点に接触している状態では、当該各電池の接点から得られる電圧を導出し、前記電池収納部に収納された奇数番目の電池の接点との接触が断たれた状態では、偶数番目の電池の接点から得られる電圧を導出し、前記電池収納部に収納された偶数番目の電池の接点の接触が断たれた状態では、奇数番目の電池の接点から得られる電圧を導出する回路手段と、
この回路手段により導出された電圧を定電圧に昇圧する昇圧回路と、
を備えたことを特徴とする電源システム。
【００６３】
［２］
前記回路手段により導出された電圧を検出する電圧検出手段と、
この電圧検出手段により検出された電圧が基準電圧以下になった場合に、特定の処理を実行する特定処理実行手段と、
機器本体の落下を検出する落下検出手段と、
この落下検出手段により落下が検出された場合には、前記基準電圧を前記電池収納部に収納可能な半分の数の電池に応じた第２の基準電圧に設定する基準電圧設定手段と、
を備えたことを特徴とする［１］に記載の電源システム。
【００６４】
［３］
前記電池収納部に収納された電池の数を判断する電池数判断手段を備え、
前記基準電圧設定手段は、
前記電池数判断手段により前記電池収納部に収納された電池の数が収納可能な半分の数と判断された場合、前記基準電圧を前記電池収納部に収納可能な半分の数の電池に応じた第２の基準電圧に設定する、
ことを特徴とする［１］に記載の電源システム。
【００６５】
［４］
前記電池収納部は、２本の電池をそれぞれその極性が逆向きになるように並べ、各電池の＋極又は−極をばね式接点に接触させて収納し、
前記回路手段は、前記電池収納部に収納された各電池の＋極と−極とが各対応する接点に接触している状態では、当該各電池の接点から得られる電圧を導出し、前記電池収納部に収納された一方の電池の接点との接触が断たれた状態では、他方の電池の接点から得られる電圧を導出し、他方の電池の接点の接触が断たれた状態では、一方の電池の接点から得られる電圧を導出する、
ことを特徴とする［１］ないし［３］の何れかに記載の電源システム。
【符号の説明】
【００６６】
１１  …電池収納部（同極向き合い配置式）
１１Ｂ…中央仕切り板
Ｂ１，Ｂ２…乾電池
Ｐ１，Ｐ２…固定接点
Ｎ１，Ｎ２…ばね接点
Ｄ１，Ｄ２…ダイオード（逆流防止用）
１２  …電源・昇圧回路
１３  …中央処理装置（ＣＰＵ）
１４  …電圧検出部（Ａ／Ｄ）
１５  …加速度センサ
２１  …電池収納部（直列接続式）
ＳＷ１，ＳＷ２…電池着脱検知スイッチ
【図１】
2013183576.tif 000003
【図２】
2013183576.tif 000004
【図３】
2013183576.tif 000005
【図４】
2013183576.tif 000006
【図５】
2013183576.tif 000007
【図６】
2013183576.tif 000008